(57)【特許請求の範囲】
【請求項１】
エレベーターホールに設けられ、エレベーター利用者が行先階を入力する行先階入力装置と、複数のエレベーターから、前記行先階に割り当てるエレベーターを選定する群管理制御システムと、を備え、前記行先階入力装置は、所定の情報を表示する表示部を備える群管理エレベーターシステムにおいて、
前記表示部は、
所定の情報を第一の輝度で表示する第一の動作モードと、前記所定の情報を前記第一の輝度よりも低い第二の輝度で表示する第二の動作モードと、を有し、
前記群管理制御システムは、各階床別に、出発基準階における前記行先階入力装置による行先階登録回数を計数することにより、各階の入場者数を計測し、かつ一般階における前記行先階入力装置の操作回数を計数することにより各階からの退場者数を計測し、前記退場者数が前記入場者数に等しければ、前記一般階の前記行先階入力装置を操作する前記エレベーター利用者が、前記行先階入力装置が設置される階床における最終退場者であると判定し、
前記群管理制御システムが、前記行先階入力装置を操作する前記エレベーター利用者が、前記行先階入力装置が設置される階床における前記最終退場者であると判定すると、操作終了後、操作された前記行先階入力装置の前記表示部が前記第二の動作モードに設定されることを特徴とする群管理エレベーターシステム。
【請求項２】
請求項１に記載の群管理エレベーターシステムにおいて、
操作された前記行先階入力装置の前記操作終了後における操作を無効とすることを特徴とする群管理エレベーターシステム。
【請求項３】
エレベーターホールに設けられ、エレベーター利用者が行先階を入力する行先階入力装置と、複数のエレベーターから、前記行先階に割り当てるエレベーターを選定する群管理制御システムと、を備え、前記行先階入力装置は、所定の情報を表示する表示部を備える群管理エレベーターシステムにおいて、
前記表示部は、
所定の情報を第一の輝度で表示する第一の動作モードと、前記所定の情報を前記第一の輝度よりも低い第二の輝度で表示する第二の動作モードと、を有し、
前記群管理制御システムが判定する交通状況に応じて、前記第一の動作モードおよび前記第二の動作モードのいずれかが設定され、
前記行先階入力装置の設置場所が、日射を受ける時間帯において、前記第二の動作モードが設定されることを特徴とする群管理エレベーターシステム。
【発明の詳細な説明】
【技術分野】
【０００１】
本発明は、エレベーターホールに設けられる行先階入力装置を備えた群管理エレベーターシステムに関する。
【背景技術】
【０００２】
上記技術分野における従来技術として、特許文献１に記載の技術が知られている。本従来技術においては、乗り場呼びボタンが操作されると、乗り場呼びボタンが操作された階の乗り場に設置され、行先階登録機能を備えるタッチパネルディスプレイのスリープモードを解除し、乗り場呼びに割り当てられたエレベーターの乗りかごが着床して戸開すると、タッチパネルディスプレイをスリープモードへ移行させる。これにより、利便性を損なわずに、消費電力を抑えることができる。
【先行技術文献】
【特許文献】
【０００３】
【特許文献１】特許第５７４８３６６号公報
【発明の概要】
【発明が解決しようとする課題】
【０００４】
上記従来技術においては、乗り場呼びボタンが操作されるまでは、パネルディスプレイが、スリープモードのため消灯されているので、利用者が乗り場呼びを登録してかつ行先階登録を行えるか否かで躊躇する怖れがある。特に、複数の利用客が行先階を登録する場合には、行先階登録に時間を要してしまう。従って、消費電力は低減できるが、利用者へのサービスが低下する。
【０００５】
そこで、本発明は、行先階登録機能を備え、かつ利用者へのサービスを低下することなく消費電力を低減できる群管理エレベーターシステムを提供する。
【課題を解決するための手段】
【０００６】
上記課題を解決するために、本発明による群管理エレベーターシステムは、エレベーターホールに設けられ、エレベーター利用者が行先階を入力する行先階入力装置と、複数のエレベーターから、行先階に割り当てるエレベーターを選定する群管理制御システムと、を備え、行先階入力装置は、所定の情報を表示する表示部を備えるものであって、表示部は、所定の情報を第一の輝度で表示する第一の動作モードと、所定の情報を第一の輝度よりも低い第二の輝度で表示する第二の動作モードと、を有し、群管理制御システムは、各階床別に、出発基準階における行先階入力装置による行先階登録回数を計数することにより、各階の入場者数を計測し、かつ一般階における行先階入力装置の操作回数を計数することにより各階からの退場者数を計測し、退場者数が入場者数に等しければ、一般階の前記行先階入力装置を操作するエレベーター利用者が、行先階入力装置が設置される階床における最終退場者であると判定し、群管理制御システムが、行先階入力装置を操作するエレベーター利用者が、行先階入力装置が設置される階床における最終退場者であると判定すると、操作終了後、操作された行先階入力装置の表示部が第二の動作モードに設定される。
また、上記課題を解決するために、本発明による群管理エレベーターシステムは、エレベーターホールに設けられ、エレベーター利用者が行先階を入力する行先階入力装置と、複数のエレベーターから、行先階に割り当てるエレベーターを選定する群管理制御システムと、を備え、行先階入力装置は、所定の情報を表示する表示部を備えるものであって、表示部は、所定の情報を第一の輝度で表示する第一の動作モードと、所定の情報を第一の輝度よりも低い第二の輝度で表示する第二の動作モードと、を有し、群管理制御システムが判定する交通状況に応じて、第一の動作モードおよび第二の動作モードのいずれかが設定され、行先階入力装置の設置場所が、日射を受ける時間帯において、第二の動作モードが設定される。
【発明の効果】
【０００７】
本発明によれば、行先階入力装置が、交通状況に応じて設定される、低輝度で表示する動作モードを有することにより、利用者に対する所定の情報の報知を確保しながら、行先階入力装置の電力消費が低減され、行先階入力装置の寿命が向上する。
【０００８】
上記した以外の課題、構成および効果は、以下の実施形態の説明により明らかにされる。
【図面の簡単な説明】
【０００９】
【図１】本発明の一実施形態である群管理エレベーターシステムの全体構成を示す。
【図２】群管理制御システムにおける学習系の機能ブロック図である。
【図３】行先階入力装置に対する制御処理の基本フロー図である。
【図４】行先階入力装置の省エネモードでの表示例を示す。
【図５】閑散時における行先階入力装置の動作状態の推移の一例を示す。
【図６】閑散時における行先階入力装置の動作状態の推移の一例を示す。
【図７】行先階入力装置の表示部に対する輝度設定制御処理を示すフローチャートである。
【図８】行先階入力装置に対する、セキュリティ性を向上した制御処理を示すフローチャートである。
【発明を実施するための形態】
【００１０】
以下、本発明の実施形態について、図面を用いて説明する。なお、各図において、参照番号が同一のものは同一の構成要件あるいは類似の機能を備えた構成要件を示している。
【００１１】
図１は、本発明の一実施形態である群管理エレベーターシステムの全体構成を示す。
【００１２】
図１に示すように、本実施形態の群管理エレベーターシステムは、複数台のエレベーターを個別に制御するエレベーター制御システム２１０，２２０，２ｎ０と、エレベーター全体として運行効率が最適となるように各エレベーターの運行を制御する群管理制御システム１００とを備えている。また、建物のエントランス階 (出発基準階あるいは移動開始階) のエレベーターホールあるいはその付近には、ホール用の行先階入力装置（以下、「行先階入力装置」と記す）５００，５１０が設置される。これら行先階入力装置５００，５１０は、それぞれ、テンキー方式の行先階入力部５０１，５１１、行先階入力情報や割り当てエレベーターを表示する表示部５０２，５１２を有し、さらに、セキュリティを強化する場合、つまりエレベーターの使用を特定のエレベーター利用者（以下、「利用者」と記す）に許可してセキュリティ効果を高める場合（５００Ｓ，５１０Ｓ）、利用者が携帯する機器に格納される個人識別情報や行先階情報などを読取って行先階登録を担う認識部５０３，５１３を有する。
【００１３】
利用者が携帯する機器としては、カード等のタグであれば、非接触ＩＣカードや、認識部５１３（例えば、カードリーダ）からの電波をエネルギー源として動作するパッシブ型ＲＦＩＤを搭載するＩＣタグ（例えば、ＩＤカード）が適用できる。また、携帯電話やスマートフォン（多機能携帯電話）、タブレット端末などの情報端末装置も適用できる。これら機器の通信部としては、ＩＣタグとの近距離無線通信に適用されるＮＦＣ（Near Field Communication）インターフェイスや、より多くの情報量を通信できるBluetooth（登録商標）あるいはWi-Fi（登録商標）、３Ｇ（3rd Generation）回線、ＬＴＥ（Long Term Evolution）などのような無線通信プロトコルを有しているものが好ましい。
【００１４】
各階のエレベーターホール付近には、行先階入力装置５２０，５ｎ０が設置される。これら行先階入力装置５２０，５ｎ０は、それぞれ、テンキー方式の入力装置５２１，５ｎ１、行先階入力情報や割り当てエレベーターを表示する表示部５２２，５ｎ２を有し、さらに、セキュリティ効果を高める場合（５２０Ｓ，５ｎ０Ｓ）には認識部５２３，５ｎ３を有する。
【００１５】
入出力メイン処理装置４００は、行先階入力装置と接続され、群管理制御システム１００と行先階入力装置との間におけるデータの入出力を制御する。ＩＤカードに個人識別情報が格納される場合、入出力メイン処理装置４００は、予めエレベーター使用を許可された利用者の個人識別情報が登録された個人認証用のデータベースを備え、行先階入力装置の認識部で読み取られる個人識別情報とデータベースを照合することによって、エレベーター使用が許可された利用者であるか否かを判定する。このとき、データベースに、個人識別情報に対応させて行先階情報が登録されていれば、入出力メイン処理装置４００は、エレベーター使用が許可された者であると判定すると、個人識別情報に対応する行先階情報を群管理制御システム１００に送信する。これにより、セキュリティを確保しつつ、個人毎に行先階が自動登録される。あるいは、入出力メイン処理装置４００は、エレベーター使用が許可された利用者であると判定すると、行先階入力装置のテンキーによる行先階情報の入力を許可する。そして、行先階入力装置から入力された行先階情報は、入出力メイン処理装置４００から群管理制御システム１００に送られて登録される。この場合、行先階を自動登録する場合よりも、個人認証用のデータベースの規模を低減できる。
【００１６】
なお、ＩＤカードに、エレベーター使用を許可された者に付与される正規のカードであることを示すカード情報が格納される場合、入出力メイン処理装置４００は、行先階入力装置の認識部で読み取られるカード情報に基づき、正規のカードか否かを判断して、正規のカードであると判断したら、行先階入力装置のテンキーによる行先階情報の入力を許可する。そして、行先階入力装置から入力された行先階情報は、入出力メイン処理装置４００から群管理制御システムに送られて登録される。これにより、セキュリティが確保される。この場合、ＩＤカードはいわば動作許可カード（入館許可証等）として機能する。このため、個人認証処理における入出力メイン処理装置４００の負荷が低減されると共に、大規模な個人認証用データベースを必要としないので入出力メイン処理装置４００の構成を簡単化することができる。
【００１７】
図１中にエレベーター制御システム２１０の詳細な構成図を併記する。なお、本構成図は、図１中、便宜上、エレベーター制御システムとエレベーター間の制御線Ｂ１，Ｂ２に重ねて記されている。但し、制御線Ｂ１，Ｂ２は、中断されているように図示されているが、制御線Ｂ３と同様に連続している。
【００１８】
エレベーター制御システム２１０，２２０，２ｎ０は、群管理制御システム１００内の運行管理制御系１０１による制御の下で、自動運転や手動運転等といったエレベーターの運転方式に合った運転を行う運転制御系２１２と、主に乗りかご３１０Ｃ，３２０Ｃ，３ｎ０Ｃを昇降するためのモーター制御を行う速度制御系２１３により、各エレベーターの運行を個別に制御する。また、エレベーター制御システムは、エレベーター毎に、かご内荷重やドアの開閉等の各事象の情報を群管理制御システム１００の運行管理制御系１０１に送信する。群管理運転中、エレベーター制御システム内の運行管理制御系２１１は動作しない。また、エレベーター制御システムは、エレベーターの乗車前に行先階入力装置によって行先階情報が入力されて登録されると、通常運転中であれば、乗りかご内の操作盤３１１，３２１，３ｎ１が備える行先階ボタンの入力を無効とする。
【００１９】
群管理制御システム１００において、運行管理制御系１０１は、時々刻々と変化するエレベーター制御システムから送信されるエレベーター情報や行先階情報等の運行データを学習系１０２へ送信する。送信された運行データに基づいて、学習系１０２は、交通状況を学習するとともに、既に学習された交通状況と現時点の運行データに基づいて、その時点でどのような運転プログラムが適しているかを判断する。知能系１０３は、学習系１０２による学習結果に基づいて、後述する特徴モードを新たに生成すると共に、エレベーター運行シミュレーションを行い、各特徴モードに応じた最適な運転プログラムを自動生成する。運行管理制御系１０１は、この運転プログラムを用いて、登録された行先階別にどのエレベーターを配車するかを決める割り当て制御を実行し、さらにエレベーター制御システムへ行先階別に割り当て指令を送出する。
【００２０】
なお、群管理制御を解除して単独運転を行う場合は、エレベーター制御システムにおける運行管理制御系２１１によってエレベーターの運行が制御される。このとき、入出力メイン処理装置４００は、運行管理制御系２１１とホール行先階登録装置との間のデータの入出力を制御する。
【００２１】
図２は、群管理制御システム１００における学習系１０２の機能ブロック図である。学習系１０２は、各階の交通需要から、エレベーターの交通量の閑散状態や、夜間における人の乗降が少ない時間帯などを学習・判定する。
【００２２】
図２に示すように、かご内乗降人数検出部２０２は、かご床下に設置される荷重検出装置の出力信号に基づいて乗降人数を検出する。ここで、かご内乗降人数検出部２０２は、かごが到着し、出発するまでのかご内の荷重変化から乗降人数を検出する。交通状況(交通情報)収集部２０１は、かご内乗降人数検出部２０２によって検出される乗降人数を、ブロック内に例示するような単位時間当たりの各階床別、方向（上り、下り）別の交通情報として収集する。このとき、交通状況（交通情報）収集部２０１は、群管理制御システムに登録される行先階情報２０３を適宜用いて、階床別に交通情報の収集を行う。
【００２３】
なお、かご内乗降人数検出部２０２は、ホール呼び数（行先階入力装置の操作回数）およびかご呼び数（行先階登録回数）に基づいて乗降人数を検出したり、乗りかご内の乗客の画像情報に基づいて乗降人数を検出したりしても良い。
【００２４】
ビル内の人の流れは、階床および方向によって変化し、一般に複雑な分布を持っている。そこで、特徴モード識別部２０４は、交通状況(交通情報)収集部２０１によって収集される単位時間当たりの各階床の交通情報が、ビル内におけるエレベーター需要の状況を示す複数の特徴モードのいずれに属するかを識別する。また、特徴モード識別部２０４は、一日単位で、各特徴モード毎に、収集した交通情報の平均を演算し、この演算結果と前日の演算結果に基づいて、群管理制御システムにおいて記憶されている各特徴モードを示す基準となる交通情報データを更新する。交通情報モード学習部２０５は、特徴モード識別部２０４によって更新される交通情報データを、特徴モード（Ｍ１，Ｍ２，Ｍ３，…）毎の交通情報モードとして学習して蓄積する。
【００２５】
本実施形態において、特徴モード（Ｍ１〜Ｍ６）は、上り方向の乗りかごにおける乗降人数と下り方向の乗りかごにおける乗降人数の範囲によって識別される。このような特徴モード識別用データは、特徴モード生成部２０６に記憶される。上述の特徴モード識別部２０４は、交通状況（交通情報）収集部２０１によって収集される単位時間ごとの交通情報を、特徴モード生成部２０６に記憶する特徴モード識別用データと照合することにより、交通情報が属する特徴モードを識別する。
【００２６】
図２中、特徴モード生成部２０６のブロック内に、特徴モード識別用データの一例を示す。本実施形態における特徴モードＭ１〜Ｍ６は、縦軸および横軸をそれぞれ上りの乗降人数および下りの乗降人数とする座標上において、交通需要の状況が異なる六個の領域に相当する。特徴モードＭ１，Ｍ２，Ｍ３，Ｍ６は、それぞれ、上り下りともに乗降人数が小さい「閑散」、Ｍ１よりも比較的乗降人数が大きな「平常」、上りの乗降人数が大きな「アップピーク」、下りの乗降人数が大きな「ダウンピーク」である。なお、上り下りの乗降人数がピークよりは少ないがどちらも比較的多い交通需要状況は、上りの方が多い特徴モードをＭ４とし、下りの方が多い特徴モードをＭ５としている。
【００２７】
なお、エレベーターの交通需要状況は、ビル内に入居するテナントの入れ替わりなどにより変化し得る。そこで、特徴モード生成部２０６は、交通情報モード学習部２０５に蓄積される交通情報モードデータに基づいて、特徴モードＭ１〜Ｍ６に対応する交通需要状況の変化の傾向を学習して、学習結果に基づいて特徴モード識別用データを修正する機能を有する。また、特徴モード生成部は、交通需要状況の新規特徴を抽出し、特徴モード（Ｍｎ）を生成して登録する機能を有する。
【００２８】
次に、行先階入力装置の動作について説明する。以下に説明するように、本実施形態において、行先階入力装置は、上記特徴モードがＭ１すなわち「閑散」である場合において、液晶ディスプレイなどの表示部を省エネ点灯モードで動作させる。これにより、利用者に対するサービスを低下することなく群管理エレベーターシステムの消費電力を低減することができる。
【００２９】
図３は、本実施形態における行先階入力装置に対する制御処理の基本フロー図である。
【００３０】
行先階入力装置に、群管理制御システムやエレベーター制御システム２１０，２２０，２ｎ０から入出力メイン処理装置４００を介して運転情報や一般情報を送信する前に、群管理制御システム１００の運行管理制御系１０１は、学習系１０２の交通情報モード学習部１０５（図２）に蓄積されている、基準となる特徴モード別交通情報データを参照して、省エネモードの条件が成立しているか否かを判定する（ステップＳ３０１）。この条件とは、交通需要状況の特徴モードがＭ１すなわち「閑散」となる時間帯であることである。
【００３１】
条件が成立していないと判定される場合（Ｓ３０１，ＮＯ）、すなわち閑散状態でなければ、運行管理制御系１０１は、各階に設置される全行先階入力装置に対し、入出力メイン処理装置４００を介して通常の点灯表示モードでの表示指令を送信する（ステップＳ３０２）。また、条件が成立していると判定される場合（Ｓ３０１，ＹＥＳ）、すなわち閑散状態であれば、運行管理制御系１０１は、各階における全行先階入力装置に対し、省エネ点灯モード（例えば輝度を一段下げる）での表示指令を同様に送信する（ステップＳ３０３）。
【００３２】
本実施形態においては、各階床ごとに、図３に示す制御が実行される。なお、ビル全体として、特徴モードが設定される場合は、全階床に設置される全行先階入力装置に対し、同じ表示指令が送信される。また、エントランス階だけは、顧客の利便性などのために、制御対象外として、常時、通常モードとしても良い。
【００３３】
図４は、行先階入力装置の各動作モード（通常モード、省エネモード）での表示例を示す。本表示例では、バックライト付き液晶タッチパネルディスプレイによって構成される表示部の輝度（あるいは光度）を変更することによって、消費電力を低減する。なお、表示部としては、輝度を制御することができるプラズマディスプレイや有機ＥＬディスプレイなどを用いても良い。
【００３４】
図４に示すように、行先階入力装置５１０Ｓは、通常モード（ａ）の場合、すなわち通常の点灯表示モードでの表示指令を受信している場合は、バックライトを制御することにより、表示部５１２の輝度を、標準的な輝度、例えば４００カンデラ（国際単位系（ＳＩ））程度に設定する。これにより、多くの利用者に対して、所望の情報を鮮明に表示することができる。従って、利用者が情報を容易に確認できるので、行先階入力を迅速に行える。このため、多くの利用者が、効率的に行先階を登録することができる。また、運行情報以外の一般情報（例えば、テナント情報や気象情報など）を表示する場合、利用者が容易に確認することができるので、多くの利用者に情報を報知することができる。
【００３５】
また、行先階入力装置５１０Ｓは、省エネモード１（ｂ）の場合、すなわち省エネ点灯モードでの表示指令を受信している場合は、バックライトを制御することにより、表示部５１２の輝度を、通常モード（ａ）よりも低い、例えば、通常モードの４００カンデラの約５０％である２００カンデラ程度に設定する。これにより、行先階入力装置５１０Ｓの消費電力が、通常モードよりも低減する。
【００３６】
さらに、行先階入力装置の所定動作時に、例えば省エネモード１（ｂ）が所定時間継続する場合、すなわちエレベーター需要の閑散状態が所定時間以上継続した場合、行先階入力装置５１０Ｓは、図４中の省エネモード（ｃ）のように、表示部５１２の輝度を、省エネモード１よりも低い、例えば、通常モードの４００カンデラの約２５％である１００カンデラ程度に設定する。これにより、行先階入力装置５１０Ｓの消費電力が、省エネモード１よりもさらに低減する。
【００３７】
なお、省エネモード１，２における表示部５１２の輝度の値は、行先階を登録する利用者が行先階入力装置を操作する時に、表示されている情報を十分確認できるような値に設定される。
【００３８】
このような省エネ点灯モードでの表示によれば、行先階を登録する少数の利用者に対し、行先階入力装置の操作に関する情報、例えば図４に示す「画面の下にカードをかざしてください」というような情報や、エレベーターの運行情報を、確実に報知しながらも、行先階入力装置の消費電力を低減することができる。これにより、行先階入力装置の寿命が向上する。なお、省エネ点灯モードにおける消費電力が、定格消費電力よりも低くなるような輝度に設定すれば、より効果的に行先階入力装置を長寿命化できる。
【００３９】
図５は、閑散時における行先階入力装置の動作状態の推移の一例を示す。図中、（ａ），（ｂ），（ｃ），（ｄ），（ｅ），（ｆ）の順に、動作状態が推移する。なお、図３で説明したように、行先階入力装置には、群管理制御システムから省エネ点灯モードでの表示指令が送信されている。従って、図５は、行先階入力操作がなされる行先階入力装置の動作を示し、同じ階床に設置されているが入力操作がなされない他の行先階入力装置は、省エネ点灯モードによる待機状態（図５中（ａ））が維持される。
【００４０】
動作状態（ａ）では、行先階入力装置５１０Ｓは待機状態であり、表示部の光度（輝度）は、通常モードと省エネモード１および省エネモード２（図４）の内、輝度が最も低い省エネモード２に設定されている。
【００４１】
動作状態（ｂ）では、利用者が動作状態（ａ）における表示部５１２に表示される情報に従って認識部５1３にＩＤカードをかざすと、行先階入力装置５１０Ｓは、一時的に表示部５１２の輝度を通常モードに設定する。これにより、利用者は、容易に行先階入力装置５１０Ｓを操作することができる。この時、認識部５１３から、ＩＤカードへ電波が放射されると、この電波によってＩＤカードに電力が供給される。この電力によって、ＩＤカードが備えるＩＣタグが動作して、ＩＣタグに格納されるカード情報がＩＤカードからの反射波に載せられる。
【００４２】
認識部５１３で受信される反射波に載せられているカード情報に基づいて、利用者がエレベーターの使用を許可されている正規の利用者であるか否か、あるいは、ＩＤカードがエレベーターの使用を許可されている者に付与された正規のＩＤカードであるか否かが判定される。そして、正規の利用者あるいは正規のカードであると判定されると、動作状態（ｃ）に移り、行先階入力操作が可能となる。
【００４３】
動作状態（ｃ）では、表示部５１２の表示が、利用者に対して行先階入力操作が可能であることを示すと共に行先階登録操作を促すために、「行き先階を入力してください」というメッセージに替わる。メッセージに従って、利用者が、テンキーを押して、行き先階、ここでは「５」を入力すると、動作状態（ｄ）へ移る。
【００４４】
動作状態（ｄ）では、利用者が入力した行先階（ここでは「５」）が表示部に表示される。これにより、利用者は、入力の正誤を確認できる。テンキー入力が一定時間とだえると行先階入力が完了したと判断され、入力された行き先階情報が群管理制御システム１００に伝送され登録される。群管理制御システム１００は、登録された行先階に対して最適なエレベーターを割り当てる。そして、群管理制御システム１００は、割り当てたエレベーターのエレベーター制御システムに対し、行先階が入力された行先階入力装置が設置されている階床へのかごの配車を指令する。
【００４５】
動作状態（ｅ）では、群管理制御システムによって割り当てられたエレベーターの号機番号あるいは号機名称（ここでは、「Ｌｉｆｔ１」）が表示部５１２に表示される。これにより、利用者は、乗車するエレベーターを確認することができる。所定時間後、動作状態（ｆ）へ移る。
【００４６】
動作状態（ｆ）は、動作状態（ｂ）と同じである。従って、表示部５１２の輝度は通常モードに設定される。これにより、他の利用者が続けて行き先階を登録する際、表示部を容易に確認することができる。
【００４７】
なお、動作状態（ｆ）において、所定時間、行先階入力装置５１０Ｓが操作されず、かつ閑散状態が継続している場合、すなわち、いまだ閑散状態にある時間帯であり、群管理制御システムから通常モードによる表示指令が送信されていない場合、行先階入力装置５１０Ｓの動作状態は動作状態（ａ）に戻るようにしても良い。すなわち、表示部５１２の輝度は省エネモード２（図３）に復帰するようにしても良い。これにより、消費電力を低減できる。
【００４８】
図５のように、閑散状態において、行先階入力装置の動作状態を推移させることにより、少数の利用者に対する利便性を確保しながら、行先階入力装置の消費電力を低減できる。また、輝度が高い通常モードによる表示時間が短縮されるので、表示部の寿命が向上する。
【００４９】
なお、カード情報に行先階情報を含み、行先階が自動登録される場合、図５における動作状態（ｃ）（テンキーによる手動行先階入力）を経ることなく、（ａ），（ｂ），（ｄ），（ｅ），（ｆ）の順に動作状態が推移する。また、行先階入力装置５１０Ｓは、ＩＤカードからの反射波を受信したら、あるいは、カードまたは利用者を認証したら、行先階入力装置５１０Ｓが設けられている階床では閑散状態が解消されていると判定して、表示部５１２の光度（輝度）を通常モードに設定し、以後、輝度を通常モードに維持しても良い。
【００５０】
図６は、閑散時における行先階入力装置の動作状態の推移の一例を示す。なお、図５の例と異なる点について説明する。
【００５１】
図６の例においては、動作状態（ｂ）以降において、表示部５１２の輝度が、図５の例とは異なり、省エネモード１（図４）に設定される。本例によっても、閑散状態において、少数の利用者に対する利便性を確保しながら、行先階入力装置の消費電力を低減できる。また、輝度が高い通常モードによる表示時間が短縮されるので、表示部の寿命が向上する。
【００５２】
図５および図６の例においては、閑散状態において、行先階入力装置に対して行先階登録のための操作がなされた時に表示部の輝度が待機状態よりも高くなるように変更されるが、上述の階床別の交通需要データや、行先階入力装置に対する所定の操作やかご床下の荷重検出装置の出力信号などに基づいて、階床毎に、一時的に閑散状態が緩和あるいは解消されていると判断したら、表示部の輝度が変更されるようにしても良い。また、階床ごとに、図５および図６の例のいずれかを選択しても良い。
【００５３】
次に、行先階入力装置に対する詳細な制御処理について説明する。
【００５４】
図７は、本実施形態における行先階入力装置の表示部に対する輝度設定制御処理を示すフローチャートである。
【００５５】
まず、ステップＳ７０１で、全ての行先階入力装置に対して順に輝度設定処理を実行するため、行先階入力装置５００〜５ｎ０及び５００Ｓ〜５ｎ０Ｓの台数ｎ、すなわちビルの階床数ｎの設定や、各階床に対する省エネモード適用要否に関する設定などの初期化処理が実行される。
【００５６】
次に、ステップＳ７０２では、最初の行先階入力装置に関して、その行先階入力装置が、表示の輝度を下げるモード、すなわち省エネモードが適用される階床に設置されたものか否かを判定する。行先階入力装置が、表示の輝度を下げるモードが適用される階床に設置されたものではないと判定された場合（Ｓ７０２，ＮＯ）、ステップＳ７０６が実行される。このステップＳ７０６では、表示部に、最も輝度が高い通常モードによる表示が指令される。また、行先階入力装置が、表示の輝度を下げるモードが適用される階床に設置されたものであると判定された場合（Ｓ７０２，ＹＥＳ）、ステップＳ７０３が実行される。
【００５７】
ステップＳ７０３では、輝度を下げる条件が成立しているか否かを判定する。このような条件は、例えば、前述した交通需要の特徴モードがＭ１，Ｍ２である時間帯であること、すなわち混雑状態以外の交通需要状況である時間帯であることである。また、本実施形態では、本条件として、エレベーターホールが外部から日射を受け、行先階入力装置の周囲が明るい時間帯であることも含む。輝度を下げる条件が成立していないと判定された場合（Ｓ７０３，ＮＯ）、ステップＳ７０４が実行される。
【００５８】
ステップＳ７０４では、行先階入力装置が設置されている階床が不停止階であるか否かを判定する。不停止階であると判定された場合（Ｓ７０４，ＹＥＳ）、ステップＳ７０５が実行される。このステップＳ７０５では、表示部の輝度が最も低い省エネモード２（図４）が設定されると共に、エスカレーターや階段などの他の昇降手段の利用案内を表示する。また、不停止階ではないと判定された場合（Ｓ７０４，ＮＯ）、前述のステップＳ７０６が実行される。
【００５９】
ステップＳ７０３において、輝度を下げる条件が成立していると判定された場合（Ｓ７０３，ＹＥＳ）、次に、ステップＳ７０７が実行される。
【００６０】
ステップＳ７０７では、行先階入力装置が設置されている階床が不停止階であるか否かが判定される。不停止階であると判定された場合（Ｓ７０７，ＹＥＳ）、ステップＳ７０８が実行される。このステップＳ７０８では、行先階入力装置が操作されているか否かが判定される。行先階入力装置が操作されたと判定された場合（Ｓ７０８，ＹＥＳ）、前述のステップＳ７０５が実行される。また、行先階入力装置が操作されていないと判定された場合（Ｓ７０８，ＮＯ）、ステップＳ７０９が実行される。さらに、ステップＳ７０７において、不停止階ではないと判定された場合（Ｓ７０７，ＮＯ）もステップＳ７０９が実行される。
【００６１】
ステップＳ７０９では、所定時間以上、例えば１分以上、行先階入力装置が操作されていない状態が継続しているか否かを判定する。継続していないと判定された場合（Ｓ７０９，ＮＯ）、ステップＳ７１０が実行される。
【００６２】
ステップＳ７１０では、輝度を下げるモードの条件が、行先階入力装置の周囲が明るい時間帯であるか否かが判定される。周囲が明るい時間帯であると判定された場合（Ｓ７１０，ＹＥＳ）、ステップＳ７１１が実行される。ステップＳ７１１では、表示部に、輝度が最も低い省エネモード２（図４）による表示が指令される。また、周囲が明るい時間帯ではないと判定された場合（Ｓ７１０，ＮＯ）、ステップＳ７１２が実行される。ステップＳ７１２では、表示部に、通常モードよりも輝度を一段下げた省エネモード１（図４）による表示が指令される。
【００６３】
ステップＳ７０９において、１分以上行先階入力装置が操作されていないと判定された場合（Ｓ７０９，ＹＥＳ）、ステップＳ７１３が実行される。
【００６４】
ステップＳ７１３では、閑散状態のため所定時間以上エレベーターの稼働無し状態が続いている状況に対応して、表示部に、輝度が最も低い省エネモード２（図４）による表示が指令される。
【００６５】
輝度が設定されるステップＳ７０５，Ｓ７０６，Ｓ７１１，Ｓ７１２およびＳ７１３のいずれかが実行されると、次に、ステップＳ７１４が実行される。ステップＳ７１４では、全ての行先階入力装置について上述した輝度設定処理が終了したか否かを判定する。終了していないと判定された場合（Ｓ７１４，ＮＯ）、ステップＳ７０２に戻り、ステップＳ７０２以降の処理が繰り返し実行される。
【００６６】
これにより、行先階入力装置が設置される階床ごとに、その階床におけるエレベーターの利用者が無いか、あるいは少ない場合に、省エネモードによる表示を行うことができる。また、階床の状況（混雑状況，明るさ，不停止階）に応じて、表示部の輝度を設定できる。従って、利用者へのサービスを低下させずに、行先階入力装置の消費電力を低減できる。
【００６７】
図８は、行先階入力装置に対する、セキュリティ性を向上した制御処理を示すフローチャートである。
【００６８】
まず、ステップＳ８０１において、操作された行先階入力装置が出発基準階（例えば、エントランス階やロビー階など）に設置される行先階入力装置であるか否かが、群管理制御システムによって判定される。これにより、ビルへの入館者の有無について判定できる。操作された行先階装置が出発基準階の行先階入力装置であると判定された場合（Ｓ８０１，ＹＥＳ）、ステップＳ８０２が実行される。
【００６９】
ステップＳ８０２では、出発基準階の行先階入力装置の操作を有効とすると共に、群管理制御システムの運行管理制御系１０１（図１）に記録される入館人数の値が一人増加される。ステップＳ８０２実行後、処理は終了する。
【００７０】
操作された行先階入力装置が出発基準階の行先階入力装置ではないと判定された場合（Ｓ８０１，ＮＯ）、ステップＳ８０３が実行される。この時、操作された行先階入力装置は、出発基準階以外の一般階に設置されているものであり、行先階入力装置を操作した利用者は、一般階からの退場者である。
【００７１】
ステップＳ８０３では、行先階入力装置を操作した利用者が一般階からの最終退場者であるか否かが判定される。このような判定は、群管理制御システムによって、例えば、次のような手段でなされる。まず、各階床別に、出発基準階における行先階登録回数を計数することにより、各階の入場者数を計測し、かつ一般階における行先階入力装置の操作回数を計数することにより各階からの退場者数を計測する。退場者数が入場者数に等しければ、最終退場者であると判定される。従って、最終退場者とは、就業時間後の最終退勤者だけでなく、同じ階における残留者が零になる場合の退場者を含む。
【００７２】
なお、最終退場者の判定は、ＩＤカードなどに記録され行先階入力装置の認識部によって読み取られる個人識別情報に基づき、各利用者について、入場および退場に関する履歴を記録することによっても可能である。なお、このような履歴は、本実施形態における群管理制御システムによって作成しても良いし、他の一般的な個人認証システムによって作成しても良い。
【００７３】
ステップＳ８０３において、最終退場者であると判定された場合（Ｓ８０３，ＹＥＳ）、ステップＳ８０４が実行される。
【００７４】
ステップＳ８０４では、利用者が乗りかごに乗車して戸閉完了した後、操作された行先階入力装置の表示部の輝度を、操作中の輝度（通常モードあるいは省エネモード１（図４））から輝度が最も低い省エネモード２（図４）に変更すると共に、以後の操作を無効にする。なお、この時、最終退場者による操作の後になされる操作は、正規の利用者による操作ではないとみなしている。ステップＳ８０４実行後、処理は終了する。
【００７５】
ステップＳ８０３において、最終退場者ではないと判定される場合（Ｓ８０３，ＮＯ）、ステップＳ８０５が実行される。ここで、最終退場者ではない場合には、最終退場者ではないが退場者である場合（退場者数＜入場者数）と、最終退場者以降に一般階の行先階登録装置が操作される場合（退場者数＞入場者数）とが含まれるが、図８においては、後者の場合であるとする。具体的には、一般階においてビル内の保守・点検調査のため管理人や警備員等が非常階段から一般階へ入場した場合や、出発基準階に設置の行先階入力装置のメンテナンス中に入場した場合等が相当する。
【００７６】
この場合は、既にステップＳ８０３およびステップＳ８０４が実行されて、行先階入力装置の入力操作が無効となっている。そこで、ステップＳ８０５では、一般階の行先階入力装置に対して、所定の暗号操作がなされたか否かが判定される。ここで、所定の暗号操作とは、例えば、タッチパネルにおけるテンキーの異なる二個のボタンの同時押し、タッチパネルにおける異なる二個の記号ボタン（例えば、「＊」および「−」）の連続入力、並びにこれらの操作とスマートフォン等の情報発信機の操作との組合せ等がある。
【００７７】
ステップＳ８０５において、所定の暗号操作がなされていないと判定された場合（Ｓ８０５，ＮＯ）、行先階入力装置の操作無効状態は解除されずに、処理は終了する。また、所定の暗号操作がなされたと判定された場合（Ｓ８０５，ＹＥＳ）、ステップＳ８０６が実行される。
【００７８】
ステップＳ８０６では、利用者が乗りかごに乗車して戸閉完了するまで、一時的に行先階入力装置の操作の無効状態が解除されると共に、表示部の輝度が、省エネモード２から省エネモード１に変更される。
【００７９】
図８に示すような処理動作により、セキュリティを確保しながら行先階入力装置の消費電力を低減できる。
【００８０】
図８の処理動作においては、最終退場者が退場した以降の一般階における行先階入力装置の操作を無効としているが、これに限らず、セキュリティを確保するために所定の操作を無効にしても良い。例えば、出社日でかつ出社時間の２時間前等といった、入館者はいるが退場者はいないような所定時刻である場合に、出発基準階以外の一般階における行先階入力装置の操作を無効としても良い。
【００８１】
なお、本発明は前述した実施形態に限定されるものではなく、様々な変形例が含まれる。例えば、前述した実施形態は本発明を分かりやすく説明するために詳細に説明したものであり、必ずしも説明した全ての構成を備えるものに限定されるものではない。また、各実施形態の構成の一部について、他の構成の追加・削除・置き換えをすることが可能である。
【００８２】
例えば、出発基準階（エントランス階）が複数設けられる場合にも、上記実施形態は適用できる。
【００８３】
また、特徴モードＭ１，Ｍ２に対して、それぞれ省エネモード２，１を設定しても良い。  さらに、特徴モードＭ２から特徴モードＭ１へ移行する場合に、省エネモード１から省エネモード２へ変更しても良い。
【００８４】
また、まず省エネモード１が設定され、その後、行先階入力装置が所定時間操作されない時に、省エネモード２へ変更しても良い。
【符号の説明】
【００８５】
１００  群管理制御システム
１０１  運行管理制御系
１０２  学習系
１０３  知能系
２１０，２２０，２ｎ０  エレベーター制御システム
２１１  運行管理制御系
２１２  運転制御系
２１３  速度制御系
３１０Ｃ，３２０Ｃ，３ｎ０Ｃ  乗りかご
３１１，３２１，３ｎ１  操作盤
４００  入出力メイン処理装置
５００，５１０，５２０，５ｎ０  行先階入力装置
５００Ｓ，５１０Ｓ，５２０Ｓ，５ｎ０Ｓ  行先階入力装置
５０１，５１１，５２１，５ｎ１  行先階入力部
５０２，５１２，５２２，５ｎ２  表示部
５０３，５１３，５２３，５ｎ３  認識部
【図１】
0006640033.tif 000002
【図２】
0006640033.tif 000003
【図３】
0006640033.tif 000004
【図４】
0006640033.tif 000005
【図５】
0006640033.tif 000006
【図６】
0006640033.tif 000007
【図７】
0006640033.tif 000008
【図８】
0006640033.tif 000009